【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
サーバ装置と、前記サーバ装置と自機に接続するようにされる携帯電子機器との間のデータの送受を仲介するクレードル装置とからなるデータ通信システムであって、  前記クレードル装置は、
前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により前記携帯電子機器が接続するようにされたことが検出された場合に、前記第２の通信手段を通じて、前記携帯電子機器が接続するようにされたことを前記サーバ装置に通知するようにする通知制御手段と、
前記通知制御手段の制御により、前記携帯電子機器が接続するようにされたことが前記サーバ装置に通知された後、前記サーバ装置から送出される携帯電子機器用のデータを、前記第２の通信手段を通じて受信して、これを前記第１の通信手段を通じて前記携帯電子機器に送信するようにする中継制御手段と
を備え、
前記サーバ装置は、
前記クレードル装置との間で通信を行う通信手段と、
前記携帯電子機器に対して提供すべき前記携帯電子機器用のデータを準備するデータ準備手段と、
前記通信手段を通じて、前記クレードル装置からの前記携帯電子機器が接続するようにされたことの通知を受信した場合に、前記データ準備手段において準備された前記携帯電子機器用のデータを、前記通信手段を通じて前記携帯電子機器に送信するようにする通信制御手段と
を備えるデータ通信システム。
【請求項２】
請求項１に記載のデータ通信システムであって、
前記サーバ装置は、
前記通信手段を通じて、前記クレードル装置を介して送信されてくる前記携帯電子機器からの機器属性を示す情報を受信することができるものであり、
前記データ準備手段は、前記通信手段を通じて受信した前記携帯電子機器の機器属性に応じて、前記携帯電子機器用のデータとして準備すべきデータを特定するデータ通信システム。
【請求項３】
請求項１に記載のデータ通信システムであって、
前記サーバ装置は、
前記携帯電子機器に対して前記携帯電子機器用のデータを既に送信している場合に、前記携帯電子機器用のデータとしてどのようなデータを送信したかを示す情報を含む送信履歴を記憶保持する送信履歴記憶手段を備えており、
前記データ準備手段は、前記送信履歴記憶手段に記憶保持されている前記送信履歴に応じて、前記携帯電子機器用のデータとして準備すべきデータを特定するデータ通信システム。
【請求項４】
請求項１に記載のデータ通信システムであって、
前記サーバ装置は、
前記通信手段を通じて前記携帯電子機器に問合せを行うことにより、あるいは、前記通信手段を通じて受信した前記携帯電子機器から提供を受けたデータに基づいて、前記携帯電子機器に蓄積されている蓄積データのデータ属性を判別する判別手段を備え、
前記データ準備手段は、前記判別手段により判別された前記データ属性に応じて、前記携帯電子機器用のデータとして準備すべきデータを特定するデータ通信システム。
【請求項５】
請求項１に記載のデータ通信システムであって、
前記サーバ装置は、
前記携帯電子機器用のデータとして準備すべきデータについての情報の指示入力を受け付ける指示入力受付手段を備え、
前記データ準備手段は、前記指示入力受付手段を通じて受け付けた前記指示入力に応じて、前記携帯電子機器用のデータとして準備すべきデータを特定するデータ通信システム。
【請求項６】
請求項１に記載のデータ通信システムであって、
前記クレードル装置の前記中継制御手段は、
前記携帯電子機器に蓄積されているデータを前記第１の通信手段を通じて受信して、これを前記第２の通信手段を通じて前記サーバ装置に送信する処理と、前記サーバ装置からのデータの消去指示を前記第２の通信手段を通じて受信して、これを前記第１の通信手段を通じて前記携帯電子機器へ送信する処理とについても順次に行うように制御することができるものであり、
前記サーバ装置は、
前記クレードル装置を通じて前記携帯電子機器から送信され、前記通信手段を通じて受信したデータを記憶保持する記憶手段と、
前記携帯電子機器に送信するデータの消去指示を形成する消去指示形成手段と
を備え、
前記データ準備手段は、前記記憶手段に記憶された前記携帯通信端末からのデータに基づいて、前記携帯電子機器用のデータを準備するものであり、
前記通信制御手段は、前記通信手段を通じて、前記携帯電子機器から送信され前記クレードル装置を介して提供されるデータの受信と、前記消去指示形成手段で形成された前記消去指示の前記クレードル装置を介しての前記携帯電子機器への送信をも制御することができるものであるデータ通信システム。
【請求項７】
サーバ装置と、前記サーバ装置と自機に接続するようにされる携帯電子機器との間のデータの送受を仲介するクレードル装置とからなるデータ通信システムで用いられる前記クレードル装置であって、
前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により前記携帯電子機器の載置が検出された場合に、前記第２の通信手段を通じて、前記携帯電子機器が接続するようにされたことを前記サーバ装置に通知するようにする通知制御手段と、
前記通知制御手段の制御により、前記携帯電子機器が接続するようにされたことが前記サーバ装置に通知された後、前記サーバ装置から送出される携帯電子機器用のデータを、前記第２の通信手段を通じて受信して、これを前記第１の通信手段を通じて前記携帯電子機器に送信するようにする中継制御手段と
を備えるクレードル装置。
【請求項８】
請求項７に記載のクレードル装置であって、
前記中継制御手段は、前記携帯電子機器に蓄積されているデータを前記第１の通信手段を通じて受信して、これを前記第２の通信手段を通じて前記サーバ装置に送信する処理と、前記サーバ装置からのデータの消去指示を前記第２の通信手段を通じて受信して、これを前記第１の通信手段を通じて前記携帯電子機器へ送信する処理とについても順次に行うように制御することができるものであるクレードル装置。
【請求項９】
サーバ装置と、前記サーバ装置と自機に接続するようにされる携帯電子機器との間のデータの送受を仲介するクレードル装置とからなるデータ通信システムで用いられる前記サーバ装置であって、
前記クレードル装置との間で通信を行う通信手段と、
前記携帯電子機器に対して提供すべき前記携帯電子機器用のデータを準備するデータ準備手段と、
前記通信手段を通じて、前記クレードル装置からの前記携帯電子機器が接続するようにされたことの通知を受信した場合に、前記データ準備手段において準備された前記携帯電子機器用のデータを、前記通信手段を通じて前記携帯電子機器に送信するようにする送信制御手段と
を備えるサーバ装置。
【請求項１０】
請求項９に記載のサーバ装置であって、
前記通信手段を通じて、前記クレードル装置を介して送信されてくる前記携帯電子機器からの前記機器属性を示す情報を受信することができるものであり、
前記データ準備手段は、前記通信手段を通じて受信した前記携帯電子機器の機器属性に応じて、前記携帯電子機器用のデータとして準備すべきデータを特定するサーバ装置。
【請求項１１】
請求項９に記載のサーバ装置であって、
前記携帯電子機器に対して前記携帯電子機器用のデータを既に送信している場合に、前記携帯電子機器用のデータとしてどのようなデータを送信したかを示す情報を含む送信履歴を記憶保持する送信履歴記憶手段を備えており、
前記データ準備手段は、前記送信履歴記憶手段に記憶保持されている前記送信履歴に応じて、前記携帯電子機器用のデータとして準備すべきデータを特定するサーバ装置。
【請求項１２】
請求項９に記載のサーバ装置であって、
前記通信手段を通じて前記携帯電子機器に問合せを行うことにより、あるいは、前記通信手段を通じて受信した前記携帯電子機器から提供を受けたデータに基づいて、前記携帯電子機器に蓄積されている蓄積データのデータ属性を判別する判別手段を備え、
前記データ準備手段は、前記判別手段により判別された前記データ属性に応じて、前記携帯電子機器用のデータとして準備すべきデータを特定するサーバ装置。
【請求項１３】
請求項９に記載のサーバ装置であって、
前記携帯電子機器用のデータとして準備すべきデータについての情報の指示入力を受け付ける指示入力受付手段を備え、
前記データ準備手段は、前記指示入力受付手段を通じて受け付けた前記指示入力に応じて、前記携帯電子機器用のデータとして準備すべきデータを特定するサーバ装置。
【請求項１４】
請求項９に記載のサーバ装置であって、
前記クレードル装置を通じて前記携帯電子機器から送信され、前記通信手段を通じて受信したデータを記憶保持する記憶手段と、
前記携帯電子機器に送信するデータの消去指示を形成する消去指示形成手段と
を備え、
前記データ準備手段は、前記記憶手段に記憶された前記携帯通信端末からのデータに基づいて、前記携帯電子機器用のデータを準備するものであり、
前記通信制御手段は、前記通信手段を通じて、前記携帯電子機器から送信され前記クレードル装置を介して提供されるデータの受信と、前記消去指示形成手段で形成された前記消去指示の前記クレードル装置を介しての前記携帯電子機器への送信をも制御することができるものであるサーバ装置。
【請求項１５】
第１の携帯電子機器と、第２の携帯電子機器と、サーバ装置と、前記第１、第２の携帯電子機器と前記サーバ装置との間のデータの送受を仲介するクレードル装置とからなるデータ通信システムで用いられる前記クレードル装置あって、
自機に接続するようにされた前記第１、第２の携帯電子機器との間で通信を行う第１の通信手段と、
前記サーバ装置との間で通信を行う第２の通信手段と、
携帯電子機器が接続するようにされたことを検出する接続検出手段と、
前記接続検出手段により携帯電子機器が接続するようにされたことが検出された場合に、前記第２の通信手段を通じて、前記携帯電子機器が接続するようにされたことを前記サ
ーバ装置に通知するようにする通知制御手段と、
前記第１の通信手段と前記第２の通信手段とを制御し、前記第１、第２の携帯電子機器と、前記サーバ装置との間の通信を中継するように制御する中継制御手段と
を備えるクレードル装置。
【請求項１６】
第１の携帯電子機器と、第２の携帯電子機器と、サーバ装置と、前記第１、第２の携帯電子機器と前記サーバ装置との間のデータの送受を仲介するクレードル装置とからなるデータ通信システムで用いられる前記サーバ装置あって、
前記クレードル装置との間で通信を行う通信手段と、
前記通信手段を通じて前記クレードル装置に携帯電子機器が接続するようにされたことの通知を受け付けた場合に、前記第１、第２の携帯電子機器が前記クレードル装置に対して接続するようにされたか否かを判別する判別手段と、
前記判別手段により、前記第１、第２の携帯電子機器が前記クレードル装置に対して接続するようにされたと判別した場合に、前記第１の携帯電子機器に対して、目的とする情報の提供要求を形成し、前記通信手段を通じて前記第１の携帯電子機器に送信するようにする第１の送信制御手段と、
前記提供要求に応じて、前記第１の携帯電子機器から送信されてくる送信情報を前記通信手段を通じて受信するように制御する第１の受信制御手段と、
前記第１の受信制御手段の制御により前記通信手段を通じて受け付けた前記送信情報に基づいて、前記第２の携帯電子機器に対して提供する提供情報を形成する形成手段と、
前記形成手段で形成された前記提供情報を、前記通信手段を通じて前記第２の携帯電子機器に送信するように制御する第２の送信制御手段と
を備えるサーバ装置。
【請求項１７】
請求項１６に記載のサーバ装置であって、
前記第１の携帯電子機器が撮像装置であり、前記第２の携帯電子機器が表示機能を備えた携帯電子機器である場合に、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データから前記第２の携帯電子機器用の画像データを形成し、
前記第２の送信制御手段は、前記形成手段により形成された前記第２の携帯電子機器用の画像データを前記通信手段を通じて前記第２の携帯電子機器に送信するように制御するサーバ装置。
【請求項１８】
請求項１６に記載のサーバ装置であって、
前記第１、第２の携帯電子機器が共に音楽再生機能を備えたものである場合に、
前記第１の送信制御手段は、前記第１の携帯電子機器に対して、保持している音楽データの提供を要求する提供要求を形成して前記通信手段を通じて送信するように制御し、
前記第１の受信制御手段は、前記第１の携帯電子機器からの音楽データを前記通信手段を通じて受信するように制御し、
前記形成手段は、前記第１の携帯電子機器からの前記音楽データ前記第２の携帯電子機器用の音楽データを形成し、
前記第２の送信制御手段は、前記形成手段で形成された前記第２の携帯電子機器用の音楽データを、前記通信手段を通じて前記第２の携帯電子機器に送信するように制御するサーバ装置。
【請求項１９】
請求項１６に記載のサーバ装置であって、
前記第１の携帯電子機器が撮像装置であり、前記第２の携帯電子機器が表示機能を備えた携帯電子機器である場合に、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データに含まれる文字情報からテキストデータを形成し、
前記第２の送信制御手段は、前記形成手段により形成された前記テキストデータを、前記通信手段を通じて前記第２の携帯電子機器に送信するように制御するサーバ装置。
【請求項２０】
請求項１６に記載のサーバ装置であって、
前記第１の携帯電子機器が撮影位置の測位機能を備え、撮影することにより得た画像データに対して撮影位置データを付加することができる撮像装置であり、前記第２の携帯電子機器が表示機能を備えた携帯電子機器である場合に、
前記第１の送信制御手段は、前記第１の携帯電子機器に対して撮像することにより得た画像データの提供を要求する提供要求を形成して前記通信手段を通じて送信するように制御し、
前記第１の受信制御手段は、前記第１の携帯電子機器からの画像データを、前記通信手段を通じて受信するように制御し、
前記形成手段は、前記第１の携帯電子機器からの前記画像データに付加されている撮影位置データに基づいて、自機が保持する地図情報を参照し、撮影位置の名称と住所などの地図関連情報を付加した画像データを形成し、
前記第２の送信制御手段は、前記形成手段で形成された、前記地図関連情報を付加した画像データを、前記通信手段を通じて前記第２の携帯電子機器に送信するように制御するサーバ装置。
【手続補正２】
【補正対象書類名】明細書
【補正対象項目名】００３１
【補正方法】削除
【補正の内容】
【手続補正３】
【補正対象書類名】明細書
【補正対象項目名】００３２
【補正方法】削除
【補正の内容】